(57)【要約】【課題】浴室内に使用される同時給排型浴室換気暖房乾燥機において、給気側の温湿度と排気側の温湿度を検出して、浴室内を効率よく乾燥することを目的とする。【解決手段】浴室内の空気を排出する排気モーター１０２と循環する循環モーター１０３と給気モーター２を備え、排気空気温を検出する排気温サーミスター３と排気湿度を検出する排気湿度センサー４と浴室内に吹出温度を検出する給気温サーミスター５と湿度を検出する給気湿度センサー６を備え、それぞれの検出値はマイコン１９ａに接続され、さらに各種のモーターを駆動するモーター駆動回路２０に接続されている。排気温サーミスター３と排気湿度センサー４と給気温サーミスター５と給気湿度センサー６の検出値を基にマイコン１９ａは排気モーター１０２と循環モーター１０３と給気モーター２を制御し、浴室の換気や乾燥を行いカビなどの繁殖を防止し快適浴室空間を創り出す。【選択図】図１
2006071222.tif 000002
【特許請求の範囲】
【請求項１】
同時給排型浴室換気暖房乾燥機において、浴室内に外気を給気する給気モーターと前記浴室内の空気を排気する排気モーターと浴室内の空気を循環撹拌する循環モーターを設け、給気する空気の温度と湿度を検出する給気温湿度検出手段と排気する空気の温度と湿度を検出する排気温湿度検出手段を設け、前記給気温湿度検出手段と前記排気温湿度検出手段の検出値により前記給気モーターと前記排気モーターと前記循環モーターを制御することより浴室内の快適環境を創り出すようにしてなる同時給排型浴室換気暖房乾燥機。
【請求項２】
同時給排型浴室換気暖房乾燥機に給気モーターと排気モーターを設け、同時給排型浴室換気暖房乾燥機内部に給気する空気の湿度を検出する給気湿度手段と排気する空気の湿度を検出する排気湿度検出手段を設け、給気側湿度と排気側湿度を検出し比較制御装置内部により、給気側湿度と排気側湿度が所定の湿度差になると運転を停止することを特徴とする請求項１記載の同時給排型浴室換気暖房乾燥機。
【請求項３】
同時給排型浴室換気暖房乾燥機に給気モーターと排気モーターを設け、同時給排型浴室換気暖房乾燥機内部に給気する空気の湿度を検出する給気湿度手段と排気する空気の湿度を検出する排気湿度検出手段を設け、定期的に給気モーターと排気モーターを運転し、運転時の給気側湿度と排気側湿度を検出し比較し、所定の湿度差が生じたとき給気モーターと排気モーターを停止から運転にすることを特徴とする請求項１記載の同時給排型浴室換気暖房乾燥機。
【請求項４】
同時給排型浴室換気暖房乾燥機に暖房手段と給気モーターと排気モーターと給気する空気の湿度を検出する給気湿度手段と排気する空気の湿度を検出する排気湿度検出手段を備え、給気モーターと排気モーターと循環モーターを制御できる制御手段を備え、給気湿度と排気湿度を検出し比較制御装置で比較し所定の湿度差があり、かつ給気湿度が所定の湿度以上ある場合は、一定時間暖房手段と循環モーターを運転することにより浴室内の相対湿度を下げ、その後、給気モーターと換気手段を運転し、浴室内の湿度の高い空気を排出することを特徴とする請求項１記載の同時給排型浴室換気暖房乾燥機。
【請求項５】
同時給排型浴室換気暖房乾燥機に給気モーターと排気モーターを設け、同時給排型浴室換気暖房乾燥機内部に給気する空気の温度を検出する給気温度手段と排気する空気の温度を検出する排気温度検出手段を設け、給気側温度と排気側温度を検出し比較して給気側と排気側が所定の温度差になると運転を停止することを特徴とする請求項１記載の同時給排型浴室換気暖房乾燥機。
【請求項６】
同時給排型浴室換気暖房乾燥機に給気モーターと排気モーターを設け、同時給排型浴室換気暖房乾燥機内部に給気する空気の温度を検出する給気温度手段と排気する空気の温度を検出する排気温度検出手段を設け、定期的に給気モーターと排気モーターを運転し、その時の給気側温度と排気側温度を検出し比較し、所定の温度差が生じたとき給気モーターと排気モーターを停止から運転にすることを特徴とする請求項１記載の同時給排型浴室換気暖房乾燥機。
【請求項７】
同時給排型浴室換気暖房乾燥機に給気モーターと排気モーターを設け、同時給排型浴室換気暖房乾燥機内部に給気する空気の湿度を検出する給気湿度手段と排気する空気の湿度を検出する排気湿度検出手段を設け、吹出し口にはルーバー手段を設け、給気側の湿度と排気側湿度を検出し一定時間検出湿度の変化が生じないとき、浴室内吹出し口に設けたルーバー手段が一定時間スイングし、確実に浴室を乾燥することを特徴とする請求項１記載の同時給排型浴室換気暖房乾燥機。
【請求項８】
同時給排型浴室換気暖房乾燥機の浴室内吹出し口にルーバー手段を設け、ルーバー手段は、自由に角度を変更できるようにし、給気する空気の湿度を検出する給気湿度手段と排気する空気の湿度を検出する排気湿度検出手段を設け、定期的にルーバーを所定の角度に変更し、それぞれのルーバー角度の給気湿度と排気湿度を記憶し、全てのルーバー角度の排気湿度を測定後、最も排気湿度の高いルーバー角度に移動し運転を行うことを特徴とした請求項１記載の同時給排型浴室換気暖房乾燥機。
【請求項９】
同時給排型浴室換気暖房乾燥機内に循環側空気と給気側空気を切換えるダンパーを備えたことを特徴とした同時給排型浴室換気暖房乾燥機。
【請求項１０】
同時給排型浴室換気暖房乾燥機に吹出しモーターと循環モーターを設け、同時給排型浴室換気暖房乾燥機内部に給気する空気の湿度を検出する給気湿度手段と排気する空気の湿度を検出する排気湿度検出手段を設け、循環する空気と給気する空気を切換えるダンパー機能を設けダンパーが自由な角度で動作することを特徴とする請求項９記載の同時給排型浴室換気暖房乾燥機。
【発明の詳細な説明】
【技術分野】
【０００１】
本発明は、同時給排型浴室換気暖房乾燥機に使用され、屋外の空気を浴室内に取り入れ、入浴後の浴室内温湿度を低減するために浴室内の温度や湿度および屋外の温度や湿度を検出し、給気モーターと排気モーターと循環モーターを効率よく運転し、浴室内の温湿度を低減することができる同時給排型浴室換気暖房乾燥機に関する。
【背景技術】
【０００２】
従来、この種の浴室換気暖房乾燥機は、浴室を乾燥すると共に浴室を衣類等の乾燥室として利用できるようにするものが知られている（例えば特許文献１参照）。
【０００３】
以下、その浴室換気暖房乾燥機について図１５を参考にしながら説明する。
【０００４】
図に示すように浴室換気暖房乾燥機１０１は、排気モーター１０２と循環モーター１０３とヒーター１０７からなり、入浴後の浴室内を乾燥するための換気には、排気モーター１０２と循環モーター１０３を動作し、浴室内吸込み口１０４から吸い込んだ湿度の高い空気を排気口１０５から排出し、さらに循環モーターにより浴室内の空気を循環し撹拌することにより浴室内の乾燥を促進する。その際、浴室と脱衣室を分割する扉のガラリ１０６より、脱衣室から浴室内に空気の流入は発生する。
【０００５】
また、衣類乾燥に際するときは、ヒーター１０７を運転し、循環モーター１０３と排気モーター１０２を運転するのが一般的であった。
【特許文献１】特開昭６３−７７４９８号公報
【発明の開示】
【発明が解決しようとする課題】
【０００６】
このような従来の浴室換気暖房乾燥機では、運転モードにより循環モーターと排気モーターとヒーターを一定時間または連続で運転するだけであり、浴室内の木目細かな制御が要求されている。
【０００７】
本発明は、このような従来の課題を解決するものであり、温湿度検出手段で検出した値から、浴室内の環境を快適にすることができる同時給排型浴室換気暖房乾燥機を提供することを目的としている。
【０００８】
また、従来の浴室換気暖房乾燥機では、運転時間が一定時間または連続のみの設定しかできないため、湿度が低下して浴室内が乾燥しても運転時間がタイムアップするか、停止命令を出さないかぎりは停止することができず省エネが要求されている。
【０００９】
本発明は、この従来の課題を解決するものであり、省エネすることができる同時給排型浴室換気暖房乾燥機を提供することを目的としている。
【００１０】
また、浴室内の湿度が上昇しても浴室換気暖房乾燥機への運転命令を送信しないかぎり運転できず、入浴中は、浴室内の湿度が上昇するという課題があった。
【００１１】
本発明は、このような従来の課題を解決するものであり、湿度が上昇してくると自動的に運転状態になる同時給排型浴室換気暖房乾燥機を提供することを目的としている。
【００１２】
また、外気の湿度が高く浴室内を乾燥する際、外気が浴室内に侵入するため浴室内の湿度がなかなか低下せず乾燥時間がかかるという課題があり、短時間乾燥が要求されている。
【００１３】
本発明は、このような従来の課題を解決するものであり、雨天などに浴室内を乾燥する際に時間がかかっていたが、短時間で乾燥することができる同時給排型浴室換気暖房乾燥機を提供することを目的としている。
【００１４】
また、運転時間は一定時間または連続のみの設定しかできないため、浴室内の温度が低下しても運転時間がタイムアップするか、停止命令を出さなければ停止できず省エネ効果が要求されている。
【００１５】
本発明は、この従来の課題を解決するものであり、浴室内の温度が低下すると自動的に停止し、省エネすることができる同時給排型浴室換気暖房乾燥機を提供することを目的としている。
【００１６】
また、入浴中に浴室内の温度が上昇しても浴室換気暖房乾燥機への運転命令を送信しないかぎり運転しないという課題があり、浴室内の温度を低下することが要求されている。
本発明は、このような従来の課題を解決するものであり、温度が上昇してくると自動的に運転状態になる同時給排型浴室換気暖房乾燥機を提供することを目的としている。
【００１７】
また、浴室内を乾燥するとき、吹出し方向が一定方向の場合に乾燥部分にムラが発生する課題があり、浴室内全体を乾燥することが要求されている。
【００１８】
本発明は、このようは従来の課題を解決するものであり、ルーバーを設け動作するにより浴室内の空気を循環または攪拌し浴室内の乾燥をさらに向上することができる同時給排型浴室換気暖房乾燥機を提供することを目的としている。
【００１９】
また、入浴後の浴室内をより短時間で乾燥させることが要求されている。
【００２０】
本発明は、ルーバーの角度を変化させ、排気湿度を検出し、一番湿度の高い部分に送風し、乾燥を促進することができる同時給排型浴室換気暖房乾燥機を提供することを目的としている。
【００２１】
また、前記、発明の同時給排型浴室換気暖房乾燥機には循環モーターと給気モーターがそれぞれ必要であり、高コストという課題があり、低コストにすることが要求されている。
【００２２】
本発明は、この従来の課題を解決するものであり、１個のモーターで循環側空気と給気側空気をダンパー手段で風の流れを変えることができ部品点数を削減した信頼性の高いの同時給排型浴室換気暖房乾燥機を提供することを目的としている。
【００２３】
また、循環側空気と給気側空気をダンパー手段で全開または全閉すると木目細かな制御ができないという課題があり。浴室内のより快適環境を要求されている。
【００２４】
本発明は、ダンパー手段を自由な角度で制御できることにより循環側空気と給気側空気の量を調整し低コストで性能が向上した同時給排型浴室換気暖房乾燥機を提供することを目的としている。
【課題を解決するための手段】
【００２５】
本発明の同時給排型浴室換気暖房乾燥機は、上記目的を達成するため、給気モーターを設け、給気からの空気を給気温度検出手段と給気湿度検出手段により温度と湿度を検出すると共に、排気の空気も排気温度検出手段と排気湿度検出手段により温度と湿度を検出するものである。
【００２６】
この手段のより、給気モーターと排気モーターと循環モーターの制御により、浴室内を快適環境にすることができる同時給排型浴室換気暖房乾燥機が得られる。
【００２７】
また、他の手段は、給気側出口に設けた給気湿度検出手段と排気側出口に設けた排気湿度検出手段からそれぞれの湿度を検出し比較制御装置に接続するものである。
【００２８】
これにより、運転中に給気側湿度および排気側湿度の値を比較制御装置で比較し、所定の湿度差を検出すると、運転を停止することができる同時給排型浴室換気暖房乾燥機が得られる。
【００２９】
また、他の手段は、停止中に給気側湿度および排気側湿度の値を比較制御装置で比較し、所定の湿度差以上を検出すると、停止から運転することができる同時給排型浴室換気暖房乾燥機が得られる。
【００３０】
また、他の手段は、ヒーターと循環モーターを設け、給気湿度検出手段と排気湿度検出手段の検出値を比較制御手段で比較し、所定以上の湿度差があり、かつ、給気湿度が所定の湿度以上あることを比較制御手段で判断できるものである。
【００３１】
これにより、屋外の湿度が高いときは、ヒーターを運転し、浴室内の相対湿度を下げ浴室内を乾燥することができる同時給排型浴室換気暖房乾燥機が得られる。
【００３２】
また、他の手段は、給気側出口に設けた給気温度検出手段と排気側出口に設けた排気温度検出手段から各温度を検出し比較制御装置に接続するものである。
【００３３】
これにより、運転中に給気側温度と排気側温度を比較制御装置で比較し、所定の温度差を検出すると、運転を停止することができる同時給排型浴室換気暖房乾燥機が得られる。
【００３４】
また、他の手段は、停止中に給気側温度と排気側温度を比較制御装置で比較し、所定の温度差以上を検出すると、停止から運転することができる同時給排型浴室換気暖房乾燥機が得られる。
【００３５】
また、他の手段は、給気側出口に設けた給気湿度検出手段と排気側出口に設けた排気湿度検出手段から各湿度を検出し、比較制御装置で比較すると共に、吹出し口にはルーバー手段を設けたものである。
【００３６】
これにより、一定時間給気側湿度と排気側湿度を比較して湿度変化が生じない場合は、ルーバー手段の動作により、確実に浴室内を乾燥することができる同時給排型浴室換気暖房乾燥機が得られる。
【００３７】
また、他の手段は、排気側出口に設けた排気湿度検出手段で、吹出し口に自由な角度を変更できるルーバーを設け、定期的にルーバーの位置を変更し排気湿度を検出するものである。
【００３８】
これにより、排気検出湿度の高い位置にルーバーを固定し、浴室内の乾燥を向上できる同時給排型浴室換気暖房乾燥機が得られる。
【００３９】
また、他の手段は、循環モーターと給気モーターを一体にし、ダンパー手段を設け、循環側空気と給気側空気を制御するものである。
【００４０】
これにより、部品点数を削減し、信頼性の高い同時給排型浴室換気暖房乾燥機が得られる。
【００４１】
また、他の手段は、ダンパー手段が、自由な角度で停止することができるようにし、循環からの風量と給気からの風量を制御し、低コストの同時給排型浴室換気暖房乾燥機が得られる。
【発明の効果】
【００４２】
本発明によれば入浴後の湿度が高い浴室内を速やかに快適環境を創り出す効果のある同時給排型浴室換気暖房乾燥機が提供できる。
【００４３】
また、運転中に給気側湿度と排気側湿度を比較して所定の湿度差を検出すると、停止し省エネ効果のある同時給排型浴室換気暖房乾燥機が提供できる。
【００４４】
また、停止中において定期的に給気側湿度と排気側湿度を比較して所定の湿度差が生じたとき運転し、浴室内が高湿度になる以前に湿度を屋外に排出し、浴室内の乾燥時間を低減する効果のある同時給排型浴室換気暖房乾燥機が提供できる。
【００４５】
また、給気湿度を検出し一定湿度以上検出した場合、つまり屋外の湿度が高いときは、一定時間暖房手段と循環モーターの運転により浴室内の相対湿度を上昇させ、その後、給気モーターと排気モーターを運転し、浴室内の高湿度を排出することにより、屋外が高湿度でも浴室内の乾燥できる効果のある同時給排型浴室換気暖房乾燥機が提供できる。
【００４６】
また、運転中に給気側温度と排気側温度を比較して所定の温度差を検出すると、停止し省エネ効果のある同時給排型浴室換気暖房乾燥機が提供できる。
【００４７】
また、停止中において定期的に給気側温度と排気側温度を比較して所定の温度差が生じたとき運転し、浴室内が高温になる以前に屋外に排出し、浴室内の乾燥時間を低減する効果のある同時給排型浴室換気暖房乾燥機が提供できる。
【００４８】
また、吹出し口にルーバー手段を設け、給気側湿度と排気側湿度を比較し一定時間検出湿度の変化が生じないときは、ルーバー手段をスイングし、より浴室内を乾燥できる効果のある同時給排型浴室換気暖房乾燥機が提供できる。
【００４９】
また、ルーバー手段は、自由に角度が変更できる構造を持ち、ルーバー手段を定期的に角度を変更し、角度を変更するごとに排気側湿度を検出し、検出湿度の一番高いルーバー角度に固定し、排気することのより、浴室内乾燥時間を短縮できる効果のある同時給排型浴室換気暖房乾燥機が提供できる。
【００５０】
また、ダンパー手段を設け、循環側手段と給気側手段を一体にすることにより、部品点数が少なく信頼性の高い同時給排型浴室換気暖房乾燥機が提供できる。
【００５１】
また、ダンパー手段を自由な角度で停止できる構成にし、循環側空気量と給気側空気量を調整することにより低コストでより性能向上できる同時給排型浴室換気暖房乾燥機が提供できる。
【発明を実施するための最良の形態】
【００５２】
本発明の請求項１記載の発明は、同時給排型浴室換気暖房乾燥機において、浴室内に外気を給気する給気モーターと前記浴室内の空気を排気する排気モーターと浴室内の空気を循環撹拌する循環モーターを設け、給気する空気の温度と湿度を検出する給気温湿度検出手段と排気する空気の温度と湿度を検出する排気温湿度検出手段を設け、前記給気温湿度検出手段と前記排気温湿度検出手段の検出値により前記給気モーターと前記排気モーターと前記循環モーターを制御することより浴室内の快適環境を創り出すことができるという作用を有する。
【００５３】
また、同時給排型浴室換気暖房乾燥機に給気モーターと排気モーターを設け、同時給排型浴室換気暖房乾燥機内部に給気する空気の湿度を検出する給気湿度手段と排気する空気の湿度を検出する排気湿度検出手段を設け、給気側湿度と排気側湿度を検出し比較制御装置内部により、給気側湿度と排気側湿度が所定の湿度差になると運転を停止することができる作用を有する。
【００５４】
また、同時給排型浴室換気暖房乾燥機に給気モーターと排気モーターを設け、同時給排型浴室換気暖房乾燥機内部に給気する空気の湿度を検出する給気湿度手段と排気する空気の湿度を検出する排気湿度検出手段を設け、定期的に給気モーターと排気モーターを運転し、運転時の給気側湿度と排気側湿度を検出し比較し、所定の湿度差が生じたとき給気モーターと排気モーターを停止から運転にすることができる作用を有する。
【００５５】
また、同時給排型浴室換気暖房乾燥機に暖房手段と給気モーターと排気モーターと給気する空気の湿度を検出する給気湿度手段と排気する空気の湿度を検出する排気湿度検出手段を備え、給気モーターと排気モーターと循環モーターを制御できる制御手段を備え、給気湿度と排気湿度を検出し比較制御装置で比較し所定の湿度差があり、かつ給気湿度が所定の湿度以上ある場合は、一定時間暖房手段と循環モーターを運転することにより浴室内の相対湿度を下げ、その後、給気モーターと換気手段を運転し、浴室内の湿度の高い空気を排出排出する作用を有する。
【００５６】
また、同時給排型浴室換気暖房乾燥機に給気モーターと排気モーターを設け、同時給排型浴室換気暖房乾燥機内部に給気する空気の温度を検出する給気温度手段と排気する空気の温度を検出する排気温度検出手段を設け、給気側温度と排気側温度を検出し比較して給気側と排気側が所定の温度差になると運転を停止することができるという作用を有する。
【００５７】
また、同時給排型浴室換気暖房乾燥機に給気モーターと排気モーターを設け、同時給排型浴室換気暖房乾燥機内部に給気する空気の温度を検出する給気温度手段と排気する空気の温度を検出する排気温度検出手段を設け、定期的に給気モーターと排気モーターを運転し、その時の給気側温度と排気側温度を検出し比較し、所定の温度差が生じたとき給気モーターと排気モーターを停止から運転にすることができるという作用を有する。
【００５８】
また、同時給排型浴室換気暖房乾燥機に給気モーターと排気モーターを設け、同時給排型浴室換気暖房乾燥機内部に給気する空気の湿度を検出する給気湿度手段と排気する空気の湿度を検出する排気湿度検出手段を設け、吹出し口にはルーバー手段を設け、給気側の湿度と排気側湿度を検出し一定時間検出湿度の変化が生じないとき、浴室内吹出し口に設けたルーバー手段が一定時間スイングし、確実に浴室を乾燥することができる作用を有する。
【００５９】
また、同時給排型浴室換気暖房乾燥機の浴室内吹出し口にルーバー手段を設け、ルーバー手段は、自由に角度を変更できるようにし、給気する空気の湿度を検出する給気湿度手段と排気する空気の湿度を検出する排気湿度検出手段を設け、定期的にルーバーを所定の角度に変更し、それぞれのルーバー角度の給気湿度と排気湿度を記憶し、全てのルーバー角度の排気湿度を測定後、最も排気湿度の高いルーバー角度に移動し運転を行う作用を有する。
【００６０】
また、同時給排型浴室換気暖房乾燥機に吹出しモーターと循環モーターを設け、同時給排型浴室換気暖房乾燥機内部に給気する空気の湿度を検出する給気湿度手段と排気する空気の湿度を検出する排気湿度検出手段を設け、循環する空気と給気する空気を切換えるダンパー機能を設けダンパーが自由な角度で動作する作用を有する。
【００６１】
以下、本発明の実施の形態について図面を参照しながら説明する。
【００６２】
（実施の形態１）
図１に示すように、浴室内の同時給排型浴室換気暖房乾燥機１に浴室内の空気を排出する排気モーター１０２と浴室内の空気を循環し撹拌する循環モーター１０３と屋外の空気を浴室内に取り込む給気モーター２を備え、同時給排型浴室換気暖房乾燥機１内部の排気吹出し口に排気される空気の温度を検出するための排気温サーミスター３とさらに排気される空気の湿度を検出するための排気湿度センサー４と浴室内に吹出す空気の温度を検出する給気温度センサー５と湿度を検出する給気センサー６を備え、前記、排気温サーミスター３と排気湿度センサー４と給気温サーミスター５と給気湿度センサー６は、それぞれ検出した値の保存や比較そして各モーターを運転や停止を制御する比較制御装置７内にあるマイコン１９ａに接続され、さらに排気手段である排気モーター１０２と循環手段である循環モーター１０３と給気手段である給気モーター２がモーター駆動回路２０を介してマイコン１９ａに接続されている。
【００６３】
上記構成において、排気温サーミスター３と排気湿度センサー４と給気温サーミスター５と給気湿度センサー６の検出値をもとに比較制御装置７内のマイコン１９ａは、排気温サーミスター３と給気温サーミスター５の温度差が３℃以上、つまり、浴室内の温度を上昇するような熱源があると判断したとき、または、排気湿度センサー４と給気湿度センサー６の湿度差が１０％以上を検出したとき、つまり、浴室内の湿度が上昇するような、シャワーや湯はりなどを行ったと判断した場合、前記排気モーター１０２と循環モーター１０３と給気モーター２をマイコン１９ａが制御し、浴室内の換気や乾燥を行いカビなどの繁殖を防止し、浴室内の温湿度を外気と同一温湿度になるまで低下した快適浴室空間を創り出すことができる。
【００６４】
なお、排気温サーミスター３と排気湿度センサー４は同時給排型浴室換気暖房乾燥機１の内部に配備したが、屋外への排気口の近くに設けても同じ効果が得られる。さらに、給気温サーミスター５と給気湿度センサー６も同時給排型浴室換気暖房乾燥機１の内部に配備したが、屋外の吸込み口の近くに設けても同じ効果が得られる。
【００６５】
また、本実施の形態では排気側湿度検出手段と給気側湿度検出手段にサーミスターを使用し説明したが、熱電対やサーモスタットを使用しても同一の効果を得ることができる。
【００６６】
（実施の形態２）
図２および図３に示すように、排気吹出し口に湿度検出をするための排気湿度センサー４を備え、給気吸込み口にも湿度検出するための給気湿度センサー６を備え、排気湿度センサー４と給気湿度センサー６は検出した湿度を比較検討する比較制御装置７内のマイコン１９ａに接続されている。さらに、マイコン１９ａは脱衣室内で同時給排型浴室換気暖房乾燥機１を運転または停止できるリモコン８とさらに給気モーター２と排気モーター１０２と循環モーター１０３を駆動するモーター駆動回路２０に接続されており、従来、入浴後に浴室内を乾燥するため脱衣室のリモコン８から換気運転をおこなうが、連続運転あるいはタイマーで停止する制御のみであった。
【００６７】
上記構成により、換気運転をすると浴室内の湿度の高い空気を排出する排気モーター１０２と浴室内の空気を循環し撹拌する循環モーター１０３と浴室内に外気を導入する給気モーター２を運転し、浴室内の湿度の高い空気を排出する換気動作を行う。換気動作をしながら排気湿度センサー４と給気湿度センサー６の検出値をマイコン１９ａは比較する。排気湿度センサー４と給気湿度センサー６の検出値は、図３のような排気湿度曲線１５と給気湿度曲線１６になり、比較制御装置７のマイコン１９ａは、排気湿度センサー４と給気湿度センサー６の検出値を比較しその差が１０％になると、換気運転を自動的に停止し、必要以上の換気運転は行わないようにする。
【００６８】
なお、本実施の形態では、排気湿度センサー４と給気湿度センサー６の検出比較差を浴室内がほぼ乾燥した値である１０％で説明したが、５〜２０％でも同様の効果が得られる。検出比較差を極端に小さくとると浴室を完全に乾燥できるが、運転時間が長時間運転となる。また、大きくすると運転時間は短いが、乾燥状態に影響されることとなる。
【００６９】
（実施の形態３）
図４および図５に示すように、排気吹出し口に排気湿度センサー４を備え、吸込み口に給気湿度センサー６を備え、排気湿度センサー４と給気湿度センサー６は比較制御装置７内のマイコン１９ａに接続されている。さらに、マイコン１９ａは、浴室内の空気を排出する排気モーター１０２と屋外の空気を浴室内に取り込む給気モーター２を駆動するモーター駆動回路２０に接続されている。
【００７０】
上記構成により、停止中に比較制御装置７内のマイコン１９ａは、今現在の排気側湿度と給気側湿度を検出するため３０分ごとにモーター駆動回路２０に排気モーター１０２と給気モーター２を同時に３分程度運転する制御を行い、排気湿度センサー４と給気湿度センサー６でそれぞれの湿度を検出する。検出した値は、比較制御装置７内のマイコン１９ａで比較する、排気湿度センサー４と給気湿度センサー６で検出した値は、図５に示すような曲線となり、排気湿度センサー４の検出値と給気湿度センサー６の検出値の差が１０％以上ある場合は、つまり、浴室内の湿度が上昇するような、シャワーや湯はりなどを行ったと判断した場合、排気モーター１０２と給気モーター２を自動的に運転して、換気動作を行うことができる。
【００７１】
なお、本実施の形態では、３０分ごとにモーター駆動回路２０によって排気モーター１０２と給気モーター２を運転させ、排気湿度と給気湿度を検出したが、１〜６０分でも同じ効果がえられる。ただし、時間を長くすると、湿度が上昇したことを検出するタイミングが遅くなり、浴室内の湿度が十分高くなってから運転することになり、換気時間が長くなる。
【００７２】
また、モーター駆動回路２０に排気モーター１０２と給気モーター２を３分程度運転し、排気湿度と給気湿度を検出したが、３〜１０分でも同一の効果が得られるが、湿度センサーの反応は、３分程度で湿度検出が可能となるため、３分間湿度センサーに空気を流すことで十分湿度検出ができる。
【００７３】
（実施の形態４）
図６に示すように、排気吹出し口に排気湿度センサー４を備え、吸込み口に給気湿度センサー６を備え、排気湿度センサー４と給気湿度センサー６は、比較制御装置７内に設けてマイコン１９ａに接続されている。さらに、マイコン１９ａは浴室内の空気を排出する排気モーター１０２と屋外の空気を浴室内に取り込む給気モーター２と浴室内の空気を循環し撹拌させる循環モーター１０３を駆動するモーター駆動回路２０に接続されており、さらに浴室内の温度を上昇させる暖房手段であるヒーター１０７がヒーター制御回路２１に接続されている。
【００７４】
上記構成において、排気湿度センサー４と給気湿度センサー６の検出値を比較制御装置７内のマイコン１９ａで比較し、湿度差が１０％以上あり、かつ、給気湿度センサー６が７０％以上の湿度を検出した場合は、屋外の湿度が高いため、換気しただけでは浴室内の湿度が十分低下しないため、ヒーター１０７と浴室内の空気を循環し撹拌する循環モーター１０３を１０分程度運転し、浴室内の温度を上昇させ相対湿度を下げ、ヒーター１０７と循環モーター１０３の停止後、排気モーター１０２と給気モーター２を運転し換気を行うことにより浴室内の乾燥時間を短縮することができる。
【００７５】
なお、本実施の形態では、１坪程度の浴室を想定し、浴室内の温度を上げるためにヒーター１０７と循環モーター１０３を１０分程度の運転と記載したが、浴室の大きさや機密性や材質により変化するものである。
【００７６】
（実施の形態５）
図７に示すように、排気吹出し口に排気温サーミスター３を備え、吸込み口に給気温サーミスター５を備え、排気温サーミスター３と給気温サーミスター５は比較制御装置７内のマイコン１９ａに接続されている。さらに、マイコン１９ａは脱衣室内のリモコン８が接続されており、従来、入浴後に浴室内を乾燥するため脱衣室のリモコン８により換気運転をおこなうが、連続運転あるいはタイマーで停止する制御のみであった。
【００７７】
上記構成により、入浴後に換気運転を行う場合、排気温サーミスター３と給気温サーミスター５の検出値は図８のように排気温度曲線１７と給気温度曲線１８がえられ、排気温サーミスター３と給気温サーミスター５の検出値を比較制御装置７内のマイコン１９ａで比較し、温度差が３℃以下になると、換気運転を停止し、必要以上に換気運転は、行わないようにする。
【００７８】
なお、本実施の形態では、排気温サーミスター３と給気温サーミスター５の検出値の差が浴室内の壁や天井や洗い場の温度が十分冷えた状態になったとき、つまり、３℃以下で停止するように記載したが浴室の大きさや機密性や材質や設置位置等により検出値の差を３〜１０℃にしても同じ効果が得られる。
【００７９】
（実施の形態６）
図９に示すように、排気吹出し口に排気温サーミスター３を備え、給気吸込み口に給気温サーミスター５を備え、排気温サーミスター３と給気温サーミスター５は比較制御装置７のマイコン１９ａに接続されている。さらに、マイコン１９ａは、浴室内の空気を排出する排気モーター１０２と屋外の空気を浴室内に取り込む給気モーター２を駆動すのモーター駆動回路２０に接続されている。
【００８０】
上記構成により、停止中に比較制御装置７のマイコン１９ａは、３０分ごとに排気モーター１０２と給気モーター２を同時に３分程度運転し、排気温サーミスター３と給気温サーミスター５でそれぞれの温度を検出する。検出した値は、比較制御装置７内のマイコン１９ａで比較する。検出された排気温サーミスター３と給気温サーミスター５の検出値は、図１０のような曲線となり、排気側温度検出値と給気側温度検出値を比較制御装置７のマイコン１９ａは検出値を比較し、排気温サーミスター３の値が、給気温サーミスター５より検出値の差が３℃以上、つまり、浴室内の温度を上昇するような熱源があると判断したとき、マイコン１９ａはモーター駆動回路２０を制御して排気モーター１０２と給気モーター２を自動的に運転して換気動作を行う。
【００８１】
（実施の形態７）
図１１に示すように、排気吹出し口に排気湿度センサー４を備え、給気吸込み口に給気湿度センサー６を備え、排気湿度センサー４と給気湿度センサー６は比較制御装置７内のマイコン１９ａに接続されている。さらに、マイコン１９ａは、脱衣室内のリモコン８と同時給排型浴室換気暖房乾燥機１の浴室内吹出し口に設けたルーバー９と給気モーター２と排気モーター１０２と循環モーター１０３を駆動するモーター駆動回路２０に接続されており、従来、入浴後に浴室内を乾燥するため脱衣室のリモコン８により換気運転をおこなっていた。
【００８２】
上記構成により、換気運転は、マイコン１９ａがモーター駆動回路２０へ信号を送信し排気モーター１０２と循環モーター１０３と給気モーター２を運転し、浴室内の換気を行うが、排気湿度センサー４と給気湿度センサー６の値をマイコン１９ａで比較し、約５分間、気湿度センサー４の検出値と給気湿度センサー６の検出値の差に変化が発生しない場合、つまり浴室内の湿度が安定している場合には、ルーバー９をスイングし、浴室内に従来と異なる空気の流れを発生してさらに浴室内の乾燥を促進する。
【００８３】
なお、本実施の形態では、排気モーター１０２と循環モーター１０３と給気モーター２を浴室内の乾燥状態が飽和した状態かを判断できる時間として５分間運転し、気湿度センサー４と給気湿度センサー６の検出値を比較したが、５分以上であっても同様な効果が得られる。
【００８４】
（実施の形態８）
図１２に示すように、排気吹出し口に排気湿度センサー４を備え、給気吸込み口に給気湿度センサー６を備え、排気湿度センサー４と給気湿度センサー６は比較制御装置７内のマイコン１９ａに接続されている。さらに、マイコン１９ａには、排気モーター１０２と循環モーター１０３と給気モーター２を駆動するモーター駆動回路２０とリモコン８と浴室換気暖房乾燥機１の浴室内吹出し口に設けたルーバー９が接続されており、ルーバー９は、マイコン１９ａにより自由な位置で停止することが可能となっている。
【００８５】
上記構成において、リモコン８で浴室換気暖房乾燥機１を運転すると、排気モーター１０２と循環モーター１０３と給気モーター２が運転すると同時にルーバー９が基準となる位置で約３分程度停止し、排気湿度センサー４と給気湿度センサー６によりその時点の湿度を検出し、比較制御装置７内のマイコン１９ａは、湿度差とルーバー角度を記憶しておき、排気湿度センサー４と給気湿度センサー６の検出値を検出し終わると、ルーバー９は、前記の基準となる位置から１０度移動し３分間停止する。その後、排気湿度センサー４と給気湿度センサー６により、湿度を検出する。検出した湿度差とルーバー９の角度はマイコン１９ａに記憶され、ルーバー９はさらに１０度移動し、前記と同様な動作を繰り返す。ルーバー９が全ての角度の湿度差を検出すると、湿度差の一番大きい値の位置にルーバー９を移動し、換気動作することにより効率の良い浴室の換気が可能となる。
【００８６】
なお、本実施の形態では、ルーバー９のスイング角度を９０度とし１０個の湿度値を得るため角度を１０度ごとに移動したが、細かく移動することにより、最適なルーバー９の位置が検出でき、より乾燥効率を向上できるが検出時間が長時間となる。
また、ルーバー９にはステッピングモーターを使用するのが一般的であるが、ギヤーモーターでも同様な効果が得られる。
【００８７】
（実施の形態９）
図１３に示すように、従来、給気モーター２と循環モーター１０３は分離していたが、一体にした吹出しモーター１１を設け、さらに浴室内吸込み空気１２と屋外吸込み空気１３を分離するようにダンパー１０を設け、吹出しモーター１１とダンパー１０は、制御装置１４内のマイコン１９ｂに接続されている。
【００８８】
上記構成において、浴室内吸込み空気１２を循環する場合は、屋外吸込み空気１３が入らないように、マイコン１９ｂは風路を塞ぐようにダンパー１０を動作し、浴室内に屋外吸込み空気１３を取り入れる場合は、前記と逆方向にダンパー１０を動作することにより、給気手段と循環手段を一体にし、部品点数を削減し信頼性の向上を図ることができる。
【００８９】
なお、ダンパーを駆動するものは、ダンパーモーターや電磁ソレノイドやステッピングモーターを使用することで、簡単に実現できる。
【００９０】
（実施の形態１０）
図１４に示すように、ダンパー１０にステッピングモータを使用し自由な角度に設定することができるマイコン１９ｂに接続する構成とする。
【００９１】
上記構成において、マイコン１９ｂがダンパー１０の角度を自由に変えることにより、浴室内吸込み空気１２を循環する場合は、屋外吸込み空気１３が入らないように、風の流れを塞ぐ方向で動作し、浴室内に屋外吸込み空気１３を取り入れる場合は、前記と逆方向にダンパー１０を動作し、さらに、両方の空気を浴室内に入れて場合は、中央にダンパー１０が来るようにマイコン１９ｂが動作する。さらに、ダンパー１０の角度をリモコン８で設定できるようにし、浴室内吸込み空気１２と屋外吸込み空気１３の比率を変えて浴室内に吹出すことにより、浴室内の急激な温度変化を防止することができる。例えば、外気温度が低いときは、屋外吸込み空気１３を少なくし浴室内に吹き出すことにより、浴室内の温度を急激に低下することを防止できる。
【産業上の利用可能性】
【００９２】
同時給排型浴室換気暖房乾燥機に取付けた排気側温度検出手段と排気側湿度検出手段と給気側温度検出手段と給気側湿度検出手段を用い温度や湿度を検出して屋外の空気を取り入れることにより、エアコンや換気扇の用途にも適用できる。
【図面の簡単な説明】
【００９３】
【図１】本発明の実施の形態１の構成図
【図２】本発明の実施の形態２の構成図
【図３】同湿度―経過時間曲線図
【図４】本発明の実施の形態３の構成図
【図５】同湿度―経過時間曲線図
【図６】本発明の実施の形態４の構成図
【図７】本発明の実施の形態５の構成図
【図８】同温度―経過時間曲線図
【図９】本発明の実施の形態６の構成図
【図１０】同温度―経過時間曲線図
【図１１】本発明の実施の形態７の構成図
【図１２】本発明の実施の形態８の構成図
【図１３】本発明の実施の形態９の構成図
【図１４】本発明の実施の形態１０の構成図
【図１５】従来例の構成図
【符号の説明】
【００９４】
１      同時給排型浴室換気暖房乾燥機
２      給気モーター
３      排気温サーミスター
４      排気湿度センサー
５      給気温サーミスター
６      給気湿度センサー
７      比較制御装置
８      リモコン
９      ルーバー
１０    ダンパー
１１    吹出しモーター
１２    浴室内吸込み空気
１３    屋外吸込み空気
１４    制御装置
１５    排気湿度曲線
１６    給気湿度曲線
１７    排気温度曲線
１８    給気温度曲線
１９ａ  マイコン
１９ｂ  マイコン
２０    モーター駆動回路
２１    ヒーター制御回路
１０２  排気モーター
１０３  循環モーター
１０４  浴室内吸込み口
１０５  排気口
１０６  ガラリ
１０７  ヒーター
【図１】
2006071222.tif 000003
【図２】
2006071222.tif 000004
【図３】
2006071222.tif 000005
【図４】
2006071222.tif 000006
【図５】
2006071222.tif 000007
【図６】
2006071222.tif 000008
【図７】
2006071222.tif 000009
【図８】
2006071222.tif 000010
【図９】
2006071222.tif 000011
【図１０】
2006071222.tif 000012
【図１１】
2006071222.tif 000013
【図１２】
2006071222.tif 000014
【図１３】
2006071222.tif 000015
【図１４】
2006071222.tif 000016
【図１５】
2006071222.tif 000017